(57)【要約】【課題】  液体調味料容器などに適した小径の注出口を形成するノズルタイプのねじキャップにおいて、密封性を高めるとともに、容器が落下したりして衝撃を受けたときの液漏れや加熱充填時のシャワー水の侵入などを防止するねじキャップを提供すること。【解決手段】  キャップ本体は、容器の口筒部に嵌合する嵌合筒部と、嵌合筒部の上部を形成するリング状壁に立設し外周に大径おねじ部を形成した筒壁と、外周側で筒壁に連設し内周側で注出筒部に連設する上壁とを具え、注出筒部には、注出孔と、下部外周に大径おねじ部と同一ねじのピッチの小径おねじ部が形成されており、上蓋は、頂壁と、頂壁の周縁から垂設された側周壁とを具え、頂壁の下面には、注出孔に密嵌する密封栓と、小径おねじ部に螺合する小径めねじ部を形成した保護リングとが垂設されており、側周壁の内周面には大径おねじ部に螺合する大径めねじ部が形成されていることを特徴とする。【選択図】  図１
2014108798.tif 000002
【特許請求の範囲】
【請求項１】
容器本体の口筒部に装着されるキャップ本体と、キャップ本体にねじで開閉する上蓋とからなるねじキャップであって、
キャップ本体は、口筒部に嵌合する内筒および外筒、内筒と外筒を連設するリング状壁とからなる嵌合筒部と、リング状壁に立設し外周に大径おねじ部を形成した筒壁と、外周側で筒壁に連設し内周側で注出筒部に連設する上壁とを具え、
注出筒部には、容器本体内部に連通する注出孔と、下部外周に大径おねじ部と同一のねじピッチを有する小径おねじ部が形成されており、
上蓋は、頂壁と、頂壁の周縁から垂設された側周壁とを具え、
頂壁の下面には、注出孔内周に密嵌合する密封栓と、注出筒部の小径おねじ部に螺合する小径めねじ部を形成した保護リングとが垂設されており、側周壁の内周面には筒壁の大径おねじ部に螺合する大径めねじ部が形成されていることを特徴とするねじキャップ。
【請求項２】
上蓋の側周壁の下端部には、嵌合筒部のリング状壁と衝合する鍔部が設けられ、鍔部の下面とリング状壁の上面のいずれか一方、または双方にシール面を形成する環状のシール突条を設けたことを特徴とする請求項１記載のねじキャップ。
【請求項３】
リング上壁の上面に設けられた第１シール突条と、鍔部下面に設けられた第２シール突条とが傾斜面で衝合し、該傾斜面が環状シール面を形成していることを特徴とする請求項２記載のねじキャップ。
【請求項４】
キャップ本体の外筒の外周面には乗り越え突条と、乗り越え突条の下方に続く環状凹部とが形成され、
上蓋の鍔部周縁には端部周壁が垂設され、端部周壁の下端には複数の破断可能な連結片を介して封緘リングが連設されており、
封緘リングの内周面には外筒の環状凹部に嵌合する係止突条が設けられていることを特徴とする請求項２または３に記載のねじキャップ。
【発明の詳細な説明】
【技術分野】
【０００１】
本発明は、容器本体の口部に装着されたキャップ本体と上蓋がねじにより嵌合されるねじキャップに関し、とくにドレッシングなどの比較的粘性のある液体調味料容器に適した小径の注出口を形成するノズルタイプのものにおいて、注出口と密封栓との密封性を改善したねじキャップに関するものである。
【背景技術】
【０００２】
ドレッシングなど粘性のある液体調味料容器に使用されるキャップとして、液注出時の液切れが比較的よいことから、容器本体の口部に装着されたキャップ本体に小径の注出口を形成する注出筒部を有するノズルタイプのキャップが従来から用いられている。
このようなノズルタイプのキャップでは、上蓋裏面に垂設された密封栓によって注出口を密封するものが普通であるが、注出筒部および密封栓が小径であるため、成形誤差や成形後の変形の影響を受けやすく強度も小さいことから密封性が劣るという問題があった。
【０００３】
そのため、殺菌のために内容液を加熱充填する場合が多い液体調味料容器等では、加熱充填後のシャワー水による冷却時に容器内が負圧となってシャワー水が容器内に侵入する恐れがあった。
また、容器が落下したり倒れたりして衝撃を受けたような場合に、液漏れが発生することもあった。
このようなシール性を改善するために、下記特許文献１記載の液注出容器のキャップのように、注出筒１１の注出孔１２を密封する栓体２３に加えて、注出筒１１の外周をも密封する密封リング２４を設け、シールを２重にしたキャップが従来より知られている。  
【先行技術文献】
【特許文献】
【０００４】
【特許文献１】特開２００２−２０５７５５号公報
【発明の概要】
【発明が解決しようとする課題】
【０００５】
しかしながら、上記特許文献１記載のキャップでも、成形誤差や成形後の変形、強度などが改善されるわけではないから、密封性が抜本的に改善されるには至らず、キャップＢａに衝撃による大きな力がかかったときには液漏れのおそれがあった。
注出孔内にプルリング等により抜栓可能な隔壁を設ければこのような密封性の問題は解消するが、その場合は機構が複雑となってコストが高くなったり、小径の注出孔に抜栓可能な隔壁を設けること自体が技術的に困難であるという問題があった。
【０００６】
本発明は、上記問題を解決することを課題とし、ドレッシングなどの比較的粘性のある液体調味料容器に適した小径の注出口を形成するノズルタイプのねじキャップにおいて、簡単な構造によって密封性を高め、容器が落下したり倒れたりして衝撃を受けたときの液漏れや加熱充填時のシャワー水の侵入などを防止するねじキャップを提供することを目的とする。
【課題を解決するための手段】
【０００７】
本発明は、上記の課題を解決するために、ねじキャップとして、容器本体の口筒部に装着されるキャップ本体と、キャップ本体にねじで開閉する上蓋とからなるねじキャップであって、キャップ本体は、口筒部に嵌合する内筒および外筒、内筒と外筒を連設するリング状壁とからなる嵌合筒部と、リング状壁に立設し外周に大径おねじ部を形成した筒壁と、外周側で筒壁に連設し内周側で注出筒部に連設する上壁とを具え、注出筒部には、容器本体内部に連通する注出孔と、下部外周に大径おねじ部と同一のねじピッチを有する小径おねじ部が形成されており、上蓋は、頂壁と、頂壁の周縁から垂設された側周壁とを具え、頂壁の下面には、注出孔内周に密嵌合する密封栓と、注出筒部の小径おねじ部に螺合する小径めねじ部を形成した保護リングとが垂設されており、側周壁の内周面には筒壁の大径おねじ部に螺合する大径めねじ部が形成されていることを特徴とする構成を採用する。
【０００８】
ねじキャップの別実施形態として、上蓋の側周壁の下端部には、嵌合筒部のリング状壁と衝合する鍔部が設けられ、鍔部の下面とリング状壁の上面のいずれか一方、または双方にシール面を形成する環状のシール突条を設けたことを特徴とする構成、さらに、リング上壁の上面に設けられた第１シール突条と、鍔部下面に設けられた第２シール突条とが傾斜面で衝合し、該傾斜面が環状シール面を形成していることを特徴とする構成を採用する。
【０００９】
ねじキャップのさらなる別実施形態として、キャップ本体の外筒の外周面には乗り越え突条と、乗り越え突条の下方に続く環状凹部とが形成され、上蓋の鍔部周縁には端部周壁が垂設され、端部周壁の下端には複数の破断可能な連結片を介して封緘リングが連設されており、封緘リングの内周面には外筒の環状凹部に嵌合する係止突条が設けられていることを特徴とする構成を採用する。
【発明の効果】
【００１０】
本発明のねじキャップは、キャップ本体に上蓋を開閉するための大径おねじ部だけでなく、注出筒部の下部外周にも小径おねじ部が形成され、上蓋の保護リングの小径めねじ部と螺合しているから、注出筒が補強されるとともに密封栓と注出孔との正確な嵌合位置が保たれてシール部が保護され、容器が落下したり倒れたりしても液漏れをすることがないとともにシャワー水の侵入などを防止することができる。
さらに、キャップ本体のリング状壁と上蓋の鍔部とが衝合してシール面を形成するシール突条を設けたから、キャップ内へのシャワー水の侵入やキャップ外への液漏れをも確実に防ぐことができる。
また、上蓋の下端には複数の破断可能な連結片を介して封緘リングを連設したから、不正な開封や不用意な開封を防ぐことができる。
【図面の簡単な説明】
【００１１】
【図１】本発明の第１実施例であるねじキャップを容器本体に打栓して装着した状態を示す図であり、（ａ）は半断面側面図であり、（ｂ）は要部拡大図である。
【図２】本発明の第１実施例であるねじキャップの組立て前の状態を示す図であり、（ａ）は封緘リングが連設された上蓋の半断面側面図、（ｂ）はキャップ本体の半断面側面図である。
【図３】本発明の第１実施例であるねじキャップの開封後の状態を示す図であり、（ａ）は上蓋の半断面側面図、（ｂ）は上蓋から分離した封緘リングを保持するキャップ本体の半断面側面図である。
【図４】本発明の第２実施例であるねじキャップを容器本体に打栓して装着した状態を示す図であり、（ａ）は半断面側面図であり、（ｂ）は要部拡大図である。
【発明を実施するための形態】
【００１２】
次に、本発明のねじキャップについて、実施例を示した図面を参照して説明する。
【実施例１】
【００１３】
図１、２において、Ａはキャップ本体、Ｂは上蓋、Ｃは上蓋Ｂと切り離し可能に連設された封緘リング、Ｄは容器本体である。
【００１４】
図１に示すように、容器本体Ｄの口筒部１の外周には係合突条２が突設され、ねじキャップを打栓して容器本体Ｄに装着した状態では、キャップ本体Ａの下端部に設けられた係合筒部５が係合突条２を乗り越えて口筒部１に嵌合している。
【００１５】
キャップ本体Ａは、内容液を注出する注出口を形成する注出筒部６、内周縁に注出筒部６を立設する上壁７、上壁７の周縁から垂設された筒壁８、筒壁８の下端に連設された嵌合筒部５とからなっている。
注出筒部６は、内周側に容器内部と連通する注出孔１０が設けられ、先端部には注出液を案内するラッパ状端部１１が設けられ、外周には下り傾斜に形成された拡径段部１２を経て下部に小径のおねじ部１３が設けられている。
【００１６】
上壁７は、注出筒部６の下端部と連設する内周縁からほぼ水平方向に外方に延び、外周縁で筒壁８に連設している。
筒壁８の外周には前記小径おねじ部１３より大径のおねじ部１４が設けられ、下端部で係合筒部５に連設している。
小径おねじ部１３と大径おねじ部１４は、同一のねじピッチとなっている。
【００１７】
係合筒部５は、筒壁８が立設されたリング状壁１５と、リング上壁１５の内周縁に垂設された内筒１６、リング上壁１５の外周縁に垂設された外筒１７とからなり、外筒１７の外周には、封緘リングＣが上方から嵌合可能な上部傾斜面１９を具えた乗り越え突条２０と、乗り越え突条２０の下方に続く環状凹部２１、環状凹部２１の下端で外方に突出する下端係止部２２が設けられている。
また、外筒１７の内周側には、容器本体Ｄの口筒部１の係合突条２の下端部に係合する係合縮径部２４が設けられており、図１に示すように、ねじキャップを容器本体Ｄに打栓して装着したとき、係合突条２が係合縮径部２４を乗り越え、口筒部１が内筒１６、外筒１７、リング状壁１５によって形成される嵌合溝に嵌合される。
【００１８】
上蓋Ｂは、頂壁３０と、頂壁３０の周縁から垂設される側周壁３１とを具え、側周壁３１の下端部には、外方に拡径する鍔部３２と、鍔部３２の周縁から外筒１７を覆うように垂設される端部周壁３３が設けられている。
頂壁３０の裏面には、注出孔１０に密嵌する密封栓３４と、注出筒６の小径おねじ部１３に螺合する小径のめねじ部３５を下部に具えた保護リング３６とが垂設されている。
側周壁３１の内周には大径のめねじ部３７が設けられ、大径めねじ部３７はキャップ本体Ａの周壁８の大径おねじ部１４と螺合し、上蓋Ｂを締め込むと鍔部３２の下面がリング状壁１５の上面に当接して衝合するようになっている。
【００１９】
端部周壁３３の下端には、複数の破断可能な連結片４０を介して封緘リングＣが連設され、所定円弧範囲には連結片４０を設けず、上蓋Ｂの締め込み方向側に分離傾斜上面３９を有する凹面部３８が形成されている。
封緘リングＣは、内周面に外筒１７の乗り越え突条２０を乗り越えて環状凹部２１に嵌合する係止突条４１が設けられている。
係止突条４１の下部には、乗り越え突条２０の上部傾斜面１９とあいまって、乗り越え突条２０を乗り越えやすいように下部傾斜面４２が形成され、ねじキャップが開封され封緘リングＣが上蓋Ｂから切り離されたときには、下部傾斜面４２が外筒１７の端部係止部２２に係止して封緘リングＣの落下を防止するようになっている。
【００２０】
封緘リングＣの上面には、端部周壁３３の凹面部３８に対応する凸面部４３が設けられ、開封時に上蓋Ｂを開方向に回動したとき、端部周壁３３の凹面部３８に設けられた分離傾斜上面３９に作用して、上蓋Ｂから封緘リングＣを離隔するように作用する分離傾斜下面４４が締め込み方向側に設けられている。
本実施例では、端部周壁３３側に凹面部３８、封緘リングＣ側に凸面部３８を設け、それぞれのねじ締め込み方向側に分離傾斜上面３９、分離傾斜下面４４を設けているが、分離傾斜面は上蓋Ｂを開方向に回動したときに相互に離反する力が働くように設ければよいから、端部周壁３３側に凸面部、封緘リングＣ側に凹面部を設けて、傾斜分離面をそれぞれの螺脱方向側に設けてもよい。
【００２１】
次に、本実施例の使用態様と作用効果について説明する。
まず、封緘リングＣを一体に連設した上蓋Ｂをキャップ本体Ａに螺合する。
このとき、大径ねじ部１４，３７と小径ねじ部１３，３５は同一のねじピッチを有するから、互いに干渉することなく螺合していき、保護リング３６の小径めねじ部３５が注出筒６の下部の小径おねじ部１３に螺入するとともに、密封栓３４が注出孔１０に嵌入するようになる。
【００２２】
上蓋Ｂの螺合が進むととともに封緘リングＣが下降して、係止突条４１の下部傾斜面４２が、外筒１７の乗り越え突条２０の上部傾斜面１９に当接するが、係合筒部５はまだ容器本体Ｄに嵌合していないので、外筒１７は容易に変形し、係止突条４１は乗り越え突条２０を乗り越え環状凹部２１に嵌合する。
その後、上蓋Ｂの鍔部３２の下面がキャップ本体Ａのリング状壁１５に衝合するようになり、上蓋Ｂのキャップ本体Ａへの締め付けが完了して、キャップ本体Ａ、上蓋Ｂ、封緘リングＣが一体となったねじキャップが組み立てられる。
【００２３】
組み立てられたねじキャップは、上蓋Ｂの頂壁３０から垂設された保護リング３６が注出筒６の下部の小径ねじ部１３，３５でねじ結合しているので、同じく頂壁３０から垂設された密封栓３４と注出孔１０との密嵌状態を確実に保持し、容器が落下したりして上蓋Ｂに大きな衝撃が加えられても、密封栓３４と注出孔１０との密嵌が維持され、シールが破れることはなく液漏れを防ぐことができる。
【００２４】
組み立てが完了したねじキャップは、キャップ本体Ａの係合筒部５を口筒部１に被嵌して上蓋Ｂの上方から打栓され、図１に示すように、口筒部１が内筒１６、外筒１７、リング状壁１５によって形成される嵌合溝に嵌合されて、容器本体Ｄに装着される。
このとき、外筒１７の下部は口筒部１が嵌合することによってわずかに拡径し、封緘リングＣは、係止突条４１の環状凹部２１への嵌合が強固となり、キャップ本体Ａから容易に離脱できなくなる。
【００２５】
容器本体Ｄに装着されたねじキャップを開封するには、上蓋Ｂを螺脱方向に回動する。
上蓋Ｂが回転してキャップ本体Ａに対して上昇し始めると、封緘リングＣもともに回転して上昇しようとするが、係止突条４１が乗り越え突条２０に係合して上昇を阻止され、比較的薄肉の連結片４０が破断し始める。
同時に、封緘リングＣの分離傾斜下面４４が、上蓋Ｂの回転力により分離傾斜上面３９から押下げ方向に力を受け、封緘リングＣは上蓋Ｂから完全に分離していく。
【００２６】
図３に示すように、上蓋Ｂがキャップ本体Ａから取り外されても、分離した封緘リングＣは、係止突条４１が環状凹部２１の下端に設けられた下端係止部２２に係止して環状凹部２１内に留まり、その場で落下することはない。
容器を使用した後、キャップ本体Ａを容器本体Ｄから分別廃棄する際には、封緘リングＣをさらに引き下げるように力を加えると、係止突条４１が下部傾斜面４２によって下端係止部２２を乗り越え、環状凹部２１から脱してキャップ本体Ａから分離される。
封緘リングＣが分離されたキャップ本体Ａは、容器本体Ｄから容易に分別して廃棄することができる。
このように、下端係止部２２と係止突条４１は、封緘リングＣの落下を防ぐことができるが力を加えれば簡単に乗り越えることができる程度のわずかな嵌合度合いに設定されている。
【００２７】
このように、本実施例のねじキャップは、上蓋Ｂを開閉するための大径ねじ部１４，３７だけでなく、注出筒６の下部と保護リング３６が小径ねじ部１３，３５で結合されているから、注出筒６が補強されるとともに密封栓３４と注出孔１０との密嵌状態が保たれてシールが保護され、容器が落下したり倒れたりして上蓋Ｂが衝撃を受けても液漏れをすることがない。
また、上蓋Ｂの下端には複数の破断可能な連結片４０を介して封緘リングＣを連設したから、不正な開封や不用意な開封を防ぐことができる
【実施例２】
【００２８】
次に、ねじキャップのシール性をさらに高めるための構成を付加した第２実施例について図４を参照して説明する。
以下、第１実施例と同一の構成部分には同一の符号を付し、付加された構成を中心に説明する。
【００２９】
図４に示すように、キャップ本体Ａのリング状壁１５の上面周縁付近には、上方に突出する第１シール突条５０が設けられ、その内周側には第１傾斜シール面５１が内方に向かって下り傾斜に形成されている。
他方、上蓋Ｂの鍔部３２の下面には、内周側に第２シール突条５５が下方に突出して設けられ、第２シール突条５５の外周側には第２傾斜シール面５６が外方に向かって上り傾斜に形成されている。
その他の構成は、実施例１と同じである。
【００３０】
本実施例の使用態様と作用効果について説明する。
本実施例のねじキャップを組み付ける際に、上蓋Ｂをキャップ本体Ａにねじ込んでいくと、第１シール突条５０の第１傾斜シール面５１に第２シール突条５５の第２傾斜シール面５６が当接するようになり、両傾斜シール面により環状シール面が形成される。
さらに、上蓋Ｂをねじ込んでいくと、第２傾斜シール面５６は第１傾斜面５１に強く圧接されつつわずかに滑るように下降し、第２シール突条５５の頂面がリング状壁１５の上面に衝合して組み付けが完了する。
【００３１】
本実施例のねじキャップは、上蓋Ｂの側周壁３１の下端の鍔部３２下面と、キャップ本体Ａの係合筒部５のリング状壁１５の上面との衝合部位に、互いに傾斜シール面５１，５６で圧接するシール突条５０，５５を設けたから、密封栓３４と注出孔１０とによるシール部に加えてキャップ周縁にもシール部を形成し、キャップ外とのシール性を高めることによって、キャップ内へのシャワー水の侵入やキャップ外への液漏れを確実に防ぐことができる。
【００３２】
また、上蓋Ｂのねじ込み力によって第２傾斜シール面に内方に向けた力が作用するため、大径ねじ部１４，３７の結合力を高め、衝撃への強度をさらに高めることができる。
なお、本実施例では、シール突条をリング状壁１５と鍔部３２の両方に設け、それぞれに傾斜シール面を設けた構成としたが、シール突条はいずれか一方の面に設けるだけでもよく、当該シール突条が他方の面に衝合してキャップ外とのシール性を高めることができる。
【産業上の利用可能性】
【００３３】
本発明のノズルタイプのねじキャップは、キャップ本体と上蓋のシール性を高め、不正な開封等を防止することができるから、食品などの厳密な衛生管理が求められる液体容器用キャップとして広く適用可能であり、とくにドレッシングなどの液体調味料容器に適用して良好である。
【符号の説明】
【００３４】
Ａ              キャップ本体
Ｂ              上蓋
Ｃ              封緘リング
Ｄ              容器本体
１              口筒部
２              係合突条
５              係合筒部
６              注出筒
７              上壁
８              筒壁
１０              注出孔
１１              ラッパ状端部
１２              拡径段部
１３              小径おねじ部
１４              大径おねじ部
１５              リング状壁
１６              内筒
１７              外筒
１９              上部傾斜面
２０              乗り越え突条
２１              環状凹部
２２              下端係止部
２４              係合縮径部
３０              頂壁
３１              側周壁
３２              鍔部
３３              端部周壁
３４              密封栓
３５              小径めねじ部
３６              保護リング
３７              大径めねじ部
３８              凹面部
３９              分離傾斜上面
４０              連結片
４１              係止突条
４２              下部傾斜面
４３              凸面部
４４              分離傾斜下面
５０              第１シール突条
５１              第１傾斜シール面
５５              第２シール突条
５６              第２傾斜シール面
【図１】
2014108798.tif 000003
【図２】
2014108798.tif 000004
【図３】
2014108798.tif 000005
【図４】
2014108798.tif 000006